(57)【特許請求の範囲】
【請求項１】
所定の形状を有する生分解性インキ層と、
前記生分解性インキ層の前記形状に対応した形状、または少なくともその一部を有する生分解性粘着剤層と、を備え、
前記生分解性インキ層の前記形状に対応した形状を有する生分解性クリア層をさらに備え、
前記生分解性クリア層、前記生分解性インキ層、および前記生分解性粘着剤層が、シートの厚み方向にこの順に並んでおり、
前記生分解性クリア層の縁が、前記生分解性粘着剤層の縁に接触して重なっており、
前記生分解性インキ層が、生分解性を有する高分子を含み、
前記生分解性粘着剤層が、生分解性を有する粘着剤で形成されており、前記粘着剤が天然ゴム系粘着剤であり、
前記生分解性クリア層が、生分解性を有する高分子を含む、
シート。
【請求項２】
所定の形状を有する生分解性インキ層と、
前記生分解性インキ層の前記形状に対応した形状、または少なくともその一部を有する生分解性粘着剤層と、を備え、
前記生分解性インキ層の前記形状に対応した形状を有する生分解性クリア層をさらに備え、
前記生分解性クリア層、前記生分解性インキ層、および前記生分解性粘着剤層が、シートの厚み方向にこの順に並んでおり、
前記生分解性クリア層の縁が、前記生分解性粘着剤層の縁に接触して重なっており、
前記生分解性インキ層が、生分解性を有する高分子を含み、
前記生分解性粘着剤層が、生分解性を有する粘着剤で形成されており、
前記生分解性クリア層が、生分解性を有する高分子を含む、
シート（ただし、前記生分解性粘着剤層が、アクリル系樹脂、粘着性付与剤、および球状無機粒子を含む場合を除く）。
【請求項３】
前記生分解性粘着剤層に設けられたセパレータをさらに備える、請求項１または２に記載のシート。
【請求項４】
前記生分解性クリア層が生分解性透明インキで形成されている、請求項１〜３のいずれかに記載のシート。
【請求項５】
前記生分解性クリア層に設けられた転写基材をさらに備える、請求項１〜４のいずれかに記載のシート。
【請求項６】
前記生分解性インキ層の第一の面が、前記生分解性粘着剤層に接触し、前記第一の面とは反対側に位置する第二の面が、前記生分解性クリア層に接触している、請求項１〜５のいずれかに記載のシート。
【発明の詳細な説明】
【技術分野】
【０００１】
本発明はシートに関する。
【背景技術】
【０００２】
マイクロプラスチックによる海洋汚染が顕在化するなか、世界全体で脱プラスチックの動きが急速に進んでいる。たとえば、使い捨てプラスチック容器などの使用を禁じる方針が、欧州連合（ＥＵ）によって発表されている。
【０００３】
このような背景の下、使い捨てプラスチック製品の生分解性プラスチックへの転換が期待されている。生分解性プラスチックとは、土中や水中の微生物によって分解されるプラスチックである。つまり、生分解性プラスチックとは、自然界に存在する微生物によって分解されるプラスチックである。
【０００４】
使い捨てプラスチック製品として、たとえば、転写シートや、ラベル（具体的にはプラスチック製のラベル）などがある。転写シートとは、たとえば、絵柄層と粘着剤層とを備えるシートである。転写シートは、粘着剤層の粘着性を利用して、絵柄層を、生地などの被着体に貼り付けることができるため、被着体の絵付けといった目的で使用される。転写シートの絵柄層は印刷で形成可能であるため、被着体への直接印刷にくらべて、デザイン上の制約が少なく、しかも印刷可能な形状についての制約が少ない。つまり、転写シートでは、直接印刷にくらべて、多種多様なデザインへの要望に応えることができる。そのうえ、転写シートによる絵付けでは、直接印刷で必要となる、直接印刷用の印刷設備を導入する必要がない、といった利点もある。いっぽう、ラベルは、広告や標識などのために、物品などに貼ることができるものである。
【０００５】
転写シートとして生分解性プラスチックを用いたものが、既に提案されている（特許文献１および２参照）。たとえば、特許文献１には、生分解性を有する基材と、剥離層と、絵柄層（特許文献１では、これを装飾層とも呼んでいる。）と、接着剤層とを有するエコロジー転写シートが記載されている。特許文献２には、生分解性を有する基材シートと、絵柄インキ層と、接着層とを有する転写シートが記載されている。
【０００６】
いっぽう、生分解性プラスチックを用いたラベルも既に提案されている（特許文献３参照）。たとえば、特許文献３には、生分解性ポリマー層からなる粘着ラベル基材と、生分解性の粘着剤層とを有する生分解性粘着ラベルが記載されている。
【先行技術文献】
【特許文献】
【０００７】
【特許文献１】特開平１０−１１９４９４号公報
【特許文献２】特開平１１−１０９７号公報
【特許文献３】特開平７−４４１０３号公報
【発明の概要】
【発明が解決しようとする課題】
【０００８】
もし、特許文献１のエコロジー転写シートの剥離層と絵柄層と接着剤層とを被着体に付与したとすると（つまり、このエコロジー転写シートで被着体に絵付けしたとすると）、これらを自然界に存在する微生物の働きで分解することは難しい。なぜなら、剥離層と接着剤層とが生分解性を有することは特許文献１に記載されていないためである。
【０００９】
しかも、特許文献１のエコロジー転写シートの接着剤層として、感熱接着剤が説明されているところ、このようなエコロジー転写シートは熱圧転写方式で転写する必要があるため、転写のために熱圧ローラー設備などを導入しなければならない。しかも、その熱圧に耐える素材の被着体に限られ、設備面から転写形状の制約も大きい。
【００１０】
もし、特許文献２の転写シートで、絵柄インキ層と接着剤層とを被着体に付与したとすると（つまり、この転写シートで被着体に絵付けしたとすると）、これらを自然界に存在する微生物の働きで分解することも難しい。なぜなら、絵柄インキ層および接着剤層が生分解性を有することは特許文献２に記載されていないためである。
【００１１】
いっぽう、特許文献３の生分解性粘着ラベルについては、粘着ラベル基材を所望の形状にするためには、粘着ラベル基材に、抜きのような物理的な加工をおこない、粘着ラベル基材の不要部分、つまり基材カスを剥がして捨てる、という工程が必要であるため煩雑である。さらに、基材カスの分だけ粘着ラベル基材が無駄になるため、コストがかかる。とりわけ、粘着ラベル基材が生分解性を有するところ、生分解性プラスチックといった材料が一般に高価であるため、基材カスに基づくコストの増加分は大きいと言える。
【００１２】
本発明は、生分解性素材の抜き加工なしで作製可能であり、そのうえ、被着体に簡単に、生分解性の絵付けができるシートを提供することを目的とする。
【課題を解決するための手段】
【００１３】
この課題を解決するために、本発明は、下記＜１＞の構成を備える。
【００１４】
＜１＞
所定の形状を有する生分解性インキ層と、
前記生分解性インキ層の前記形状に対応した形状、または少なくともその一部を有する生分解性粘着剤層と、を備える
シート。
ここで、「形状」とは、生分解性インキ層を垂線方向で見たときの生分解性インキ層の形状を意味する。具体的には、生分解性インキ層の主要な面の垂線方向で、生分解性インキ層を見たときの生分解性インキ層の形状を意味する。
「所定の形状」とは、絵柄の輪郭を構成する形状を意味する。たとえば、絵柄が、四角状の輪郭を有する場合、もし、その四角状の輪郭を、生分解性インキ層の輪郭が構成するならば、生分解性インキ層が「所定の形状」を有する、と言える。これについての具体例として、たとえば、絵柄が、風景が描かれた写真状の絵柄である場合、もし、その写真状の絵柄の輪郭（すなわち横長の四角状の輪郭）を、生分解性インキ層の輪郭が構成するならば、生分解性インキ層が「所定の形状」を有する、と言える。いっぽう、たとえば、絵柄が円周状（すなわち、円を形づくる線状）である場合、もし、円周状の絵柄の輪郭を、生分解性インキ層の輪郭が構成するならば、生分解性インキ層が「所定の形状」を有する、と言える。
「生分解性インキ層の形状に対応した形状」とは、生分解性インキ層の形状と完全に同一の形状という意味合いだけでなく、生分解性インキ層の形状と似たような形状という意味合いを含む。「その一部」とは、生分解性インキ層の形状に対応した形状の一部を指す。
【００１５】
＜１＞によれば、生分解性インキ層は印刷で形成できるので、生分解性インキ層の形状を、抜き加工なしで形成可能である。よって、抜き加工によるカスを発生させずに作製することができる。しかも、生分解性インキ層が所定の形状を有することによって、抜き加工が不要となっている。
【００１６】
さらに、生分解性インキ層が生分解性を有することによって、自然界に存在する微生物の働きで生分解性インキ層を分解することができるため、環境負荷を軽減することができる。
【００１７】
さらに、シートが生分解性粘着剤層を備えることによって、生分解性インキ層を被着体に圧力だけで貼り付けることができる。よって、熱圧転写方式にくらべて、被着体に簡単に絵付けできる。
【００１８】
しかも、生分解性粘着剤層も印刷で形成可能であるため、生分解性粘着剤層の形状も、抜き加工なしで形成できる。これに加えて、生分解性粘着剤層が、生分解性インキ層の形状に対応した形状、または少なくともその一部を有することによって、抜き加工が不要となっている。
【００１９】
そのうえ、生分解性粘着剤層が生分解性を有することによって、自然界に存在する微生物の働きで生分解性粘着剤層を分解することができるため、環境負荷を軽減することができる。
【００２０】
本発明は、下記＜２＞以降の構成をさらに備えることが好ましい。
【００２１】
＜２＞
前記生分解性粘着剤層に設けられたセパレータをさらに備える、＜１＞に記載のシート。
【００２２】
＜２＞によれば、生分解性粘着剤層に設けられたセパレータによって、セパレータを剥離するまで生分解性粘着剤層を保護することができる。
【００２３】
＜３＞
前記生分解性インキ層の前記形状に対応した形状を有する生分解性クリア層をさらに備える、＜１＞または＜２＞に記載のシート。
【００２４】
＜３＞によれば、生分解性クリア層によって、生分解性インキ層および生分解性粘着剤層の少なくとも一方を保護することができる。
【００２５】
さらに、生分解性クリア層が生分解性を有することによって、自然界に存在する微生物の働きで生分解性クリア層を分解することができるため、環境負荷を軽減することができる。
【００２６】
しかも、生分解性クリア層が生分解性インキ層の形状に対応した形状を有することによって、抜き加工を不要とすることができる。
【００２７】
＜４＞
前記生分解性クリア層が生分解性透明インキで形成されている、＜３＞に記載のシート。
【００２８】
＜４＞によれば、生分解性クリア層が生分解性透明インキで形成されていることによって、生分解性クリア層も印刷で形成可能であるため、生分解性クリア層の形状も、抜き加工なしで形成できる。
【００２９】
＜５＞
前記生分解性クリア層、前記生分解性インキ層、および前記生分解性粘着剤層が、前記シートの厚み方向にこの順に並んでおり、
前記生分解性クリア層の縁が、前記生分解性粘着剤層の縁に重なっている、
＜３＞または＜４＞に記載のシート。
【００３０】
＜５＞によれば、生分解性クリア層、生分解性インキ層、および生分解性粘着剤層が、シートの厚み方向にこの順に並んでいることによって、生分解性クリア層で、生分解性インキ層を効果的に保護することができる。
【００３１】
さらに、生分解性クリア層の縁が、生分解性粘着剤層の縁に重なっていることによって、生分解性クリア層と生分解性粘着剤層とが、生分解性インキ層よりも太っていることになるため、生分解性インキ層の剥がれ（たとえば、生分解性インキ層を被着体に貼り付けした後に、生分解性インキ層に何かが接触することによって、生分解性インキ層の端部が剥がれること）を防止することができる。
【００３２】
＜６＞
前記生分解性クリア層に設けられた転写基材をさらに備える、＜３＞〜＜５＞のいずれかに記載のシート。
【００３３】
＜６＞によれば、生分解性クリア層に設けられた転写基材によって、転写基材を剥離するまで生分解性クリア層を保護することができる。
【図面の簡単な説明】
【００３４】
【図１】本実施形態におけるシートの一部（具体的には、このシートを構成する、もっとも手前にあるセパレータの隅っこ部分）を断ち切って示す概略平面図である。
【図２】本実施形態のシートを、図１に示すII-II面で切断したときの概略断面図である。
【図３】本実施形態のシートで絵付けされた被着体の概略平面図である。
【図４】本実施形態のシートで絵付けされた被着体を、図３に示すIV-IV面で切断したときの概略断面図である。
【図５】本実施形態における変形例のシートを、図１に示すII-II面で切断したときの概略断面図である。
【図６】本実施形態における、ほかの変形例のシートを、図１に示すII-II面で切断したときの概略断面図である。
【図７】本実施形態における、ほかの変形例のシートを、図１に示すII-II面で切断したときの概略断面図である。
【図８】本実施形態における、ラベルに関する変形例のシートの概略平面図である。
【図９】ラベルに関する変形例のシートを、図８に示すIX-IX面で切断したときの概略断面図である。
【図１０】実施例１で作製した生分解性粘着転写シートを真上から撮影した写真である。
【図１１】実施例２で作製した生分解性粘着転写シートを真上から撮影した写真である。
【図１２】実施例２の生分解性粘着転写シートで絵付けされたアルミ塗装板を、腐葉土中での保温開始から１か月後、３か月後、６か月後、および１０か月後に撮影した写真である。
【図１３】実施例２の生分解性粘着転写シートで絵付けされた育苗ポットを、腐葉土中での保温開始から１か月後、３か月後、６か月後に撮影した写真である。
【発明を実施するための形態】
【００３５】
以下、本発明の実施形態について説明する。
【００３６】
＜１．シート＞
図１に示すように、本実施形態のシート８は、Ｆという文字の絵柄を有している。シート８の絵柄は、Ｆという文字に限られず、たとえば、模様や柄、絵、写真、図形のような図案状であってもよく、文字や符号、標章のような記号状であってもよく、これらのうちの二種以上の任意の組み合わせであってもよい。なお、シート８は、複数の絵柄を有していてもよい。たとえば、シート８が、Ｆという文字の絵柄を複数有していてもよい。
【００３７】
シート８の絵柄は、生分解性インキ層８１（図２参照）で表現されることができる。つまり、シート８の絵柄は、生分解性インキ層８１で構成されることができる。なお、図１では、生分解性インキ層８１の手前にセパレータ８５（図２参照）が重ねられているところ、セパレータ８５が透明である場合は、セパレータ８５越しに生分解性インキ層８１で構成された絵柄を視認することができる。なお、後述するように、セパレータ８５は、透明性を有していなくともよい。
【００３８】
図２に示すように、シート８は、生分解性インキ層８１と、生分解性粘着剤層８２と、生分解性クリア層８３と、転写基材８４と、セパレータ８５とを備える。シート８の絵柄領域では、転写基材８４、生分解性クリア層８３、生分解性インキ層８１、生分解性粘着剤層８２およびセパレータ８５が、シート８の厚み方向にこの順に並んでいる。
【００３９】
シート８は、生分解性インキ層８１で構成された絵柄を、被着体９１（図３参照）に転写するために使用することができる。つまり、シート８は、転写シートとして使用可能である。
【００４０】
図３および４に示すように、被着体９１には、生分解性クリア層８３、生分解性インキ層８１、および生分解性粘着剤層８２からなる積層体をくっつけることができる。この際、生分解性粘着剤層８２の粘着性によって、生分解性クリア層８３および生分解性インキ層８１を被着体９１に貼り付けることができる。このように、シート８が生分解性粘着剤層８２を備えることによって、生分解性インキ層８１を被着体９１に圧力だけで貼り付けることができる。よって、被着体９１に簡単に絵付けできる。
【００４１】
＜１．１．生分解性インキ層＞
【００４２】
図２に戻って、シート８が生分解性インキ層８１を備えるところ、生分解性インキ層８１は、絵柄を構成する役割を担うことができる。
【００４３】
生分解性インキ層８１が生分解性を有する。これによって、自然界に存在する微生物の働きで生分解性インキ層８１を分解することができるため、環境負荷を軽減することができる。
【００４４】
生分解性インキ層８１が、所定の形状を有する。ここで、「形状」とは、生分解性インキ層８１を垂線方向で見たときの生分解性インキ層８１の形状を意味する。具体的には、生分解性インキ層８１の主要な面の垂線方向で、生分解性インキ層８１を見たときの生分解性インキ層８１の形状を意味する。「所定の形状」とは、絵柄の輪郭を構成する形状を意味する。
【００４５】
詳しくは、Ｆという文字の絵柄の輪郭を、生分解性インキ層８１の輪郭が構成しているため、生分解性インキ層８１が所定の形状を有することになる。なお、生分解性インキ層８１の形状は、絵柄に応じて適宜設計できる。
【００４６】
生分解性インキ層８１は印刷で形成できるので、生分解性インキ層８１の形状を、抜き加工なしで形成可能である。よって、抜き加工によるカスを発生させずに作製することができる。しかも、生分解性インキ層８１が所定の形状を有することによって、抜き加工が不要となっている。
【００４７】
生分解性インキ層８１が有色であることが好ましい。生分解性インキ層８１が有色であることによって、絵柄を表現することができる。つまり、生分解性インキ層８１が有色であることによって、生分解性インキ層８１で絵柄を構成することができる。
【００４８】
なお、生分解性インキ層８１が、被着体９１の色を隠蔽できるといった理由で、生分解性インキ層８１が透明性を有さないことが好ましい。しかしながら、生分解性インキ層８１が透明性を有していてもよい。
【００４９】
生分解性インキ層８１の厚みは特に限定されないものの、たとえば１μｍ〜５０μｍが好ましい。なお、生分解性インキ層８１は単層構成であることができる。なお、後述するように、生分解性インキ層８１が複層構成であってもよい。
【００５０】
生分解性インキ層８１が、生分解性を有する高分子を含む。生分解性を有する高分子としては、たとえば、多糖類（具体的には生分解性を有する多糖類）、樹脂（具体的には生分解性を有する樹脂）などを挙げることができる。なかでも、安価に入手できるものが多いという理由で、多糖類が好ましい。多糖類としては、セルロース系成分、デンプン系成分、キチン系成分、デキストラン系成分、アルギン酸系成分、キチン・キトサン系成分、プルラン系成分、ヒアルロンサン系成分などを挙げることができる。なかでも、セルロース系成分が好ましい。セルロース系成分としては、たとえば、セルロース、エチルセルロース、ヒドロキシプロピルセルロースなどを挙げることができる。いっぽう、樹脂としては、たとえば、ポリグリコール酸、ポリ乳酸、ポリカプロラクトン、ポリジオキサノン、ポリヒドロキシ酪酸、ポリコハク酸ブチレンなどの脂肪族ポリエステル；ポリ（ブチレンアジペート−コ−テレフタレート）、ポリ（エチレンアジペート−コ−テレフタレート）、ポリ（プロピレンアジペート−コ−テレフタレート）などの共重合ポリエステル；ナイロン４、ナイロン２／ナイロン６共重合体などのポリアミドを挙げることができる。これらは、生分解性を有する限り、共重合成分や、追加の共重合成分を含んでいてもよい。なお、生分解性を有する高分子として、日本バイオプラスチック協会のポジティブリストに記載されたものを使用することが好ましい。
【００５１】
生分解性インキ層８１が着色剤を含むことができる。着色剤として、たとえば、顔料、染料を挙げることができる。なお、着色剤として、日本バイオプラスチック協会のポジティブリストに記載されたものを使用することが好ましい。
【００５２】
生分解性インキ層８１が、添加剤をさらに含むことができる。添加剤としては、たとえば、消泡剤、レベリング剤などを挙げることができる。なお、添加剤として、日本バイオプラスチック協会のポジティブリストに記載されたものを使用することが好ましい。
【００５３】
生分解性インキ層８１は生分解性インキで形成することができる。生分解性インキは、生分解性インキ層８１の含有可能成分（具体的には、上述した、生分解性を有する高分子や着色剤など）に加えて、たとえば溶剤などを含むことができる。溶剤としては、たとえば、炭化水素系溶剤や水などを挙げることができる。
【００５４】
＜１．２．生分解性粘着剤層＞
生分解性粘着剤層８２は、生分解性インキ層８１および生分解性クリア層８３などを、被着体９１に接着する役割を担うことができる。
【００５５】
生分解性粘着剤層８２が生分解性を有する。これによって、自然界に存在する微生物の働きで生分解性粘着剤層８２を分解することができるため、環境負荷を軽減することができる。
【００５６】
生分解性粘着剤層８２が、生分解性インキ層８１の形状に対応した形状を有する。ここで、「生分解性インキ層８１の形状に対応した形状」とは、生分解性インキ層８１の形状と完全に同一の形状という意味合いだけでなく、生分解性インキ層８１の形状と似たような形状という意味合いを含む。生分解性粘着剤層８２も印刷で形成可能であるため、生分解性粘着剤層８２の形状も、抜き加工なしで形成できる。しかも、生分解性粘着剤層８２が、生分解性インキ層８１の形状に対応した形状を有することによって、抜き加工が不要となっている。
【００５７】
生分解性粘着剤層８２の厚みは特に限定されないものの、たとえば１μｍ〜５０μｍが好ましい。生分解性粘着剤層８２は単層構成であってもよく、複層構成であってもよい。
【００５８】
生分解性粘着剤層８２は、生分解性を有する粘着剤で形成することができる。粘着剤は特に限定されないものの、たとえば、天然ゴム系粘着剤を挙げることができる。天然ゴム系粘着剤は、たとえば、天然ゴムラテックスに、必要に応じて添加剤などを添加することによって作製することができる。天然ゴムラテックスとしては、たとえば、濃縮天然ゴムラテックス、フィールドラテックス、解重合天然ゴムラテックスなどを挙げることができる。なかでも、粘着剤を容易に作製できるという理由で解重合天然ゴムラテックスが好ましい。天然ゴムラテックスの全固形分は特に限定されないものの、１０質量％〜６０質量％が好ましい。添加剤としては、たとえば、消泡剤などを挙げることができる。なお、添加剤として、日本バイオプラスチック協会のポジティブリストに記載されたものを使用することが好ましい。
【００５９】
＜１．３．生分解性クリア層＞
【００６０】
生分解性クリア層８３は、生分解性インキ層８１を保護する役割を担うことができる。すなわち、生分解性クリア層８３によって、生分解性インキ層８１を保護することができる。
【００６１】
生分解性クリア層８３が生分解性を有する。これによって、自然界に存在する微生物の働きで生分解性クリア層８３を分解することができるため、環境負荷を軽減することができる。
【００６２】
生分解性クリア層８３が、生分解性インキ層８１の形状に対応した形状を有する。これによって、抜き加工を不要とすることができる。
【００６３】
生分解性クリア層８３が透明性を有する。つまり、生分解性クリア層８３が透明である。生分解性クリア層８３が透明であることによって、生分解性インキ層８１によって構成された絵柄を、生分解性クリア層８３越しに視認することができる。
【００６４】
生分解性クリア層８３が無色透明であることが好ましい。生分解性クリア層８３が無色透明であることによって、生分解性インキ層８１によって構成された絵柄を、生分解性クリア層８３越しに良好に視認することができる。なお、生分解性クリア層８３が有色であってもよい。つまり、生分解性クリア層８３が有色透明であってもよい。
【００６５】
生分解性クリア層８３の厚みは特に限定されないものの、たとえば１μｍ〜１０μｍが好ましい。生分解性クリア層８３は単層構成であってもよく、複層構成であってもよい。
【００６６】
生分解性クリア層８３が、生分解性を有する高分子を含む。生分解性を有する高分子としては、
生分解性インキ層８１で説明した高分子（すなわち生分解性を有する高分子）を例示することができる。よって、上述の生分解性インキ層８１の高分子の説明は、生分解性クリア層８３の高分子の説明としても扱うことができる。生分解性を有する高分子のなかでも、安価に入手できるものが多いという理由で、多糖類が好ましい。多糖類のなかでも、セルロース系成分が好ましい。なお、生分解性インキ層８１に配合される高分子が、生分解性を有する多糖類である場合、生分解性クリア層８３に配合される高分子も、生分解性を有する多糖類であることが好ましい。生分解性インキ層８１に配合される高分子が、セルロース系成分である場合、生分解性クリア層８３に配合される高分子も、セルロース系成分であることが好ましい。
【００６７】
生分解性クリア層８３が、添加剤をさらに含むことができる。添加剤としては、たとえば、消泡剤、レベリング剤などを挙げることができる。なお、添加剤として、日本バイオプラスチック協会のポジティブリストに記載されたものを使用することが好ましい。ちなみに、生分解性クリア層８３が、顔料および染料を含まないことが好ましい。
【００６８】
生分解性クリア層８３は、生分解性透明インキで形成することができる。これよって、生分解性クリア層８３も印刷で形成可能であるため、生分解性クリア層８３の形状も、抜き加工なしで形成できる。
【００６９】
生分解性クリア層８３を形成するための生分解性透明インキは、生分解性クリア層８３の含有可能成分（具体的には、上述した、生分解性を有する高分子など）に加えて、たとえば溶剤などを含むことができる。溶剤としては、たとえば、炭化水素系溶剤や水などを挙げることができる。
【００７０】
＜１．４．セパレータ＞
セパレータ８５は、セパレータ８５が剥離されるまで生分解性粘着剤層８２を保護する役割を担うことができる。すなわち、生分解性粘着剤層８２に設けられたセパレータ８５によって、セパレータ８５を剥離するまで生分解性粘着剤層８２を保護することができる。
【００７１】
なお、セパレータ８５が透明である場合のシート８の状態を図１に示しているが、セパレータ８５が透明性を有していなくともよい。
【００７２】
セパレータ８５の厚みは特に限定されないものの、たとえば１０μｍ〜３００μｍが好ましい。
【００７３】
セパレータ８５としては、はく離フィルム（はく離プラスチックフィルム）、はく離紙、転写紙などを挙げることができる。はく離フィルムや、はく離紙は、はく離剤で処理されていることができる。はく離剤としては、たとえば、シリコーン系はく離剤、フッ素系はく離剤、長鎖脂肪族系はく離剤などを挙げることができる。いっぽう、転写紙は、紙と、紙上に設けられた水溶性層とを備えることができる。水溶性層は、たとえば、水溶性の糊からなることができる。
【００７４】
＜１．５．転写基材＞
転写基材８４は、転写基材８４が剥離されるまで生分解性クリア層８３を保護する役割を担うことができる。すなわち、生分解性クリア層８３に設けられた転写基材８４によって、転写基材８４を剥離するまで生分解性クリア層８３を保護することができる。
【００７５】
転写基材８４が、透明性を有していてもよく、有していなくてもよい。
【００７６】
転写基材８４の厚みは特に限定されないものの、たとえば１０μｍ〜３００μｍが好ましい。
【００７７】
転写基材８４としては、はく離フィルム（はく離プラスチックフィルム）、はく離紙、転写紙などを挙げることができる。はく離フィルムや、はく離紙は、はく離剤で処理されていることができる。はく離剤としては、たとえば、シリコーン系はく離剤、フッ素系はく離剤、長鎖脂肪族系はく離剤などを挙げることができる。いっぽう、転写紙は、紙と、紙上に設けられた水溶性層とを備えることができる。水溶性層は、たとえば、水溶性の糊からなることができる。
【００７８】
＜１．６．各層の配置＞
シート８の絵柄領域では、転写基材８４、生分解性クリア層８３、生分解性インキ層８１、生分解性粘着剤層８２およびセパレータ８５が、シート８の厚み方向にこの順に並んでいる。この順に並んでいることによって、生分解性クリア層８３で、生分解性インキ層８１を効果的に保護することができる。
【００７９】
＜１．７．生分解性クリア層の縁が、生分解性粘着剤層の縁に重なっている＞
生分解性クリア層８３の縁が、生分解性粘着剤層８２の縁に重なっている。これによって、生分解性クリア層８３と生分解性粘着剤層８２とが、生分解性インキ層８１よりも太っていることになるため、生分解性インキ層８１の剥がれ（たとえば、生分解性インキ層８１を被着体９１に貼り付けした後に、生分解性インキ層８１に何かが接触することによって、生分解性インキ層８１の端部が剥がれること）を防止することができる。
【００８０】
＜２．シートの作製方法＞
シート８は、たとえば、転写基材８４の上に、生分解性透明インキで印刷し、乾燥することによって生分解性クリア層８３を形成し、生分解性クリア層８３の上に、生分解性インキで印刷し、乾燥することによって生分解性インキ層８１を形成し、生分解性インキ層８１の上に、生分解性粘着剤で印刷し、乾燥することによって生分解性粘着剤層８２を形成し、生分解性粘着剤層８２の上にセパレータ８５を貼り合わせる、という手順で作成することができる。各層の印刷方法は特に限定されず、たとえば、スクリーン印刷、ロータリースクリーン印刷、フレキソ印刷などを挙げることができる。たとえば、ロータリースクリーン印刷やローラーコートなどにより連続皮膜として任意の層を形成し、その上から凸版、オフセット、スクリーン印刷などで、他の層を形成してもよい。
【００８１】
＜３．シートを用いた絵付け＞
シート８で被着体９１に絵付けする手順としては、たとえば、セパレータ８５を剥がし、転写基材８４、生分解性クリア層８３、生分解性インキ層８１、および生分解性粘着剤層８２からなる積層体を被着体９１に貼り付け、転写基材８４を剥がす、という手順を挙げることができる。この手順を採用することによって、貼り付け時に、転写基材８４で生分解性クリア層８３を保護することが可能であるため、生分解性クリア層８３が傷つくことを防止できる。絵付けの手順は、これに限られない。たとえば、セパレータ８５のはく離前に、転写基材８４をはく離してもよい。また、セパレータ８５のはく離後、かつ、生分解性インキ層８１などを被着体に貼り付ける前に、転写基材８４をはく離してもよい。
【００８２】
図３に示すように、絵付けされた被着体９１には、生分解性インキ層８１が貼り付けされているため、生分解性インキ層８１によって構成された絵柄が付与されている。具体的には、Ｆという文字の絵柄が被着体９１に付与されている。なお、被着体９１としては、特に限定されず、たとえば、容器、包装、成型物などを挙げることができる。被着体９１が、生分解性を有していてもよく、生分解性を有していなくてもよい。もし、被着体９１が生分解性を有していると、絵付けされた被着体９１ごと、自然界に存在する微生物の働きで分解することができる。
【００８３】
図４に示すように、絵付けされた被着体９１には、生分解性粘着剤層８２、生分解性インキ層８１および生分解性クリア層８３がこの順に並んでいる。生分解性インキ層８１によって構成された絵柄を、生分解性クリア層８３越しに視認することができる。
【００８４】
＜４．本実施形態には種々の変更を加えることができる＞
上述の本実施形態には、種々の変更を加えることができる。たとえば、以下の変形例から、一つまたは複数を選択して、上述の本実施形態に変更を加えることができる。
【００８５】
上述の本実施形態では、生分解性インキ層８１が単層構成である、という構成を説明した。しかしながら、本実施形態は、この構成に限定されない。すなわち、生分解性インキ層８１が複層構成であってもよい。たとえば、図５に示すように、生分解性インキ層８１が、第一インキ部８１１と、第一インキ部８１１に積層された第二インキ部８１２とを備えていてもよい。第一インキ部８１１と、第二インキ部８１２とは、色相、彩度、明度および透明度の少なくとも一つが異なっていることができる。もちろん、生分解性インキ層８１が、もっと複雑な層構成であってもよい。たとえば、第一インキ部８１１および第二インキ部８１２とは、色相、彩度、明度および透明度の少なくとも一つが異なっている第三インキ部（図示していない）などを生分解性インキ層８１が備えていてもよい。
【００８６】
上述の本実施形態では、生分解性粘着剤層８２が、生分解性インキ層８１の形状に対応した形状を有する、という構成を説明した。しかしながら、本実施形態は、この構成に限定されない。たとえば、生分解性粘着剤層８２が、生分解性インキ層８１の形状に対応した形状の少なくとも一部を有する、という構成でもよい。これについての具体例として、たとえば、生分解性インキ層８１が、Ｆという文字を構成する場合に、Ｆという文字の下半分程度においてだけ、生分解性インキ層８１の形状に対応した形状を、生分解性粘着剤層８２が有する、という例を挙げることができる。このようなシート８は、たとえばＰＯＰシールとして好適に使用できる。また、生分解性粘着剤の使用量を減らすといった目的で、生分解性粘着剤層８２の任意の部分が省略されている、という例を挙げることもできる。
【００８７】
上述の本実施形態では、生分解性クリア層８３の縁が、生分解性粘着剤層８２の縁に重なっている、という構成を説明した。しかしながら、本実施形態は、この構成に限定されない。
【００８８】
上述の本実施形態では、シート８の作製手順として、転写基材８４の上に生分解性クリア層８３を形成し、生分解性クリア層８３の上に生分解性インキ層８１を形成し、生分解性インキ層８１の上に生分解性粘着剤層８２を形成し、生分解性粘着剤層８２の上にセパレータ８５を貼り合わせる、という構成を説明した。しかしながら、本実施形態は、この構成に限定されない。たとえば、図６に示すように、セパレータ８５の上に生分解性粘着剤層８２を形成し、生分解性粘着剤層８２の上に生分解性インキ層８１を形成し、生分解性インキ層８１の上に生分解性クリア層８３を形成し、生分解性クリア層８３の上に転写基材８４を貼り合わせてもよい。
【００８９】
上述の本実施形態では、シート８の絵柄領域で、生分解性クリア層８３、生分解性インキ層８１、および生分解性粘着剤層８２が、シート８の厚み方向にこの順に並んでいる、という構成を説明した（図２参照）。しかしながら、本実施形態は、この構成に限定されない。たとえば、図７に示すように、生分解性粘着剤層８２、生分解性クリア層８３、および生分解性インキ層８１がこの順に並んでいてもよい。なお、この生分解性インキ層８１を覆うような、別途の生分解性クリア層（図示せず）をさらに備えていてもよい。この別途の生分解性クリア層の説明は、上述の生分解性クリア層８３の説明と重複するため省略する。なお、上述の生分解性クリア層８３の説明は、この別途の生分解性クリア層の説明としても扱うことができる。
【００９０】
上述の本実施形態では、シート８を転写シートとして使用する、という構成を説明した。しかしながら、本実施形態は、この構成に限定されない。たとえば、シート８をラベルなどとして使用してもよい。シート８をラベルとして使用する場合、図８に示すように、シート８が、ラベルとしての役割を果たすことが可能な絵柄（以下、「ラベル状の絵柄」と言う。たとえば四角状の絵柄を挙げることができる。）を有することができる。このラベル状の絵柄は、生分解性インキ層８１で構成されることができる。このようなシート８の絵柄領域では、たとえば、図９に示すように、セパレータ８５、生分解性粘着剤層８２、および生分解性インキ層８１が、シート８の厚み方向にこの順に並んでいることができる。ラベル状の絵柄を有するシート８では、たとえば、セパレータ８５から、生分解性インキ層８１および生分解性粘着剤層８２からなる積層体を剥がし、この積層体を被着体９１に貼り付ける、という手順によって、被着体９１に、絵付け（具体的にはラベル付け）をすることができる。
【実施例】
【００９１】
以下、実施例により本発明を詳述するが、本発明はこれらの実施例のみに限定されるものではない。なお、実施例中の部および％は、特に断らない限り、それぞれ質量部および質量％を意味する。
【００９２】
＜実施例１＞
（１）ＡＢＣＤで構成された絵柄を有する生分解性粘着転写シートの作製手順
転写基材 (ニッパ株式会社製のＰＥＴ７５Ｘ  厚み０．０７５ｍｍ)上に生分解性透明インキでスクリーン印刷（２００メッシュのスクリーン版を使用）をおこない、室温で１時間程度乾燥させ、厚み０．００５ｍｍ〜０．０１０ｍｍの、ＡＢＣＤ状の透明インキ層を形成した。なお、ＡＢＣＤを構成する各透明インキ層は、互いに独立していた。つまり、各透明インキ層が、互いにつながってはいなかった。
次いで、透明インキ層の上に、生分解性黒インキでスクリーン印刷（２００メッシュのスクリーン版を使用）をおこない、室温で１時間程度乾燥させ、厚み０．００５ｍｍ〜０．０１０ｍｍの、ＡＢＣＤ状の黒インキ層を形成した。なお、この際、透明インキ層が黒インキ層にくらべて０．５ｍｍ太った状態になるようにスクリーン印刷した。
次いで、黒インキ層の上に、生分解性白インキでスクリーン印刷（１００メッシュのスクリーン版を使用）をおこない、室温で１時間程度乾燥させ、厚み０．０１ｍｍ〜０．０２ｍｍの、ＡＢＣＤ状の白インキ層を形成した。なお、この際、透明インキ層が白インキ層にくらべて０．５ｍｍ太った状態になるようにスクリーン印刷した。
次いで、白インキ層の上に、生分解性粘着剤でスクリーン印刷（１００メッシュのスクリーン版を使用）をおこない、室温で３時間程度乾燥させ、厚み０．０１ｍｍ〜０．０２ｍｍの、ＡＢＣＤ状の粘着剤層を形成した。なお、この際、粘着剤層が白インキ層にくらべて０．５ｍｍ太った状態になるようにスクリーン印刷した。すなわち、粘着剤層の縁が、透明インキ層の縁に重なるようにスクリーン印刷した。この結果、粘着剤層の縁が、透明インキ層の縁に重なった状態となった。
次いで、粘着剤層の上に、セパレータ（リンテック株式会社製の１１ＨＬ  厚み０．１６０ｍｍ〜０．１８０ｍｍ）を貼り合わせた。
このような手順で、ＡＢＣＤで構成された絵柄を有する生分解性粘着転写シートを得た（図１０参照）。なお、この生分解性粘着転写シートの絵柄領域の一部を切断した場合の概略断面は、図５と同様であった。
【００９３】
（２）各インキおよび粘着剤の作製
（２．１）生分解性透明インキ
ケトン系溶剤(具体的にはアノン)１００質量部に対して、和光純薬工業株式会社製のエチルセルロースを１０質量部配合して、生分解性透明インキを得た。
（２．２）生分解性黒インキ
ケトン系溶剤(具体的にはアノン)１００質量部に対して、和光純薬工業株式会社製のエチルセルロース１０質量部、および和光純薬工業株式会社製のカーボンブラック７質量部を配合して、生分解性黒インキを得た。
（２．３）生分解性白インキ
ケトン系溶剤(具体的にはアノン)１００質量部に対して、和光純薬工業株式会社製のエチルセルロース１０質量部、および和光純薬工業株式会社製の酸化チタン１０質量部を配合して、生分解性白インキを得た。
（２．４）生分解性粘着剤
天然ゴム系粘着剤（株式会社レヂテックス社製のＤＰＬ−５１改  解重合天然ゴムラテックス  全固形分５２質量％前後、水４７質量％前後、アンモニア０．３質量％弱。）１００質量部に対して、消泡剤（株式会社ミノグループ製の９０１４消泡剤）１質量部を配合して、生分解性粘着剤を得た。
【００９４】
＜実施例２＞
（１）ラベル状の絵柄を有する生分解性粘着転写シートの作製手順
セパレータ（リンテック株式会社製の１１ＳＬ  厚み０．１７０ｍｍ〜０．１９０ｍｍ）上に、生分解性粘着剤でスクリーン印刷（１００メッシュのスクリーン版を使用）をおこない、室温で３時間程度乾燥させ、厚み０．０１ｍｍ〜０．０２ｍｍの、四角状の粘着剤層を複数形成した。スクリーン版を位置決めしたままで、各粘着剤層の上に、生分解性白インキでスクリーン印刷をおこない、室温で１時間程度乾燥させ、厚み０．０１ｍｍ〜０．０２ｍｍの、白色無地の四角状の白インキ層を形成した。このような手順で、白色無地のラベル状の絵柄を有する生分解性粘着転写シートを得た（図１１参照）。なお、この生分解性粘着転写シートの絵柄領域の一部を切断した場合の概略断面は、図９と同様であった。ちなみに、この生分解性粘着転写シートでは、スクリーン版を位置決めしたままで白インキ層を形成したため、粘着剤層の側面と、白インキ層の側面とが面一であった。
【００９５】
（２）インキおよび粘着剤の作製
（２．１）生分解性白インキ
水道水１００質量部に対して、和光純薬工業株式会社製のヒドロキシプロピルセルロース４０質量部、および和光純薬工業株式会社製の酸化チタン１０質量部を配合して、生分解性白インキを得た。
（２．２）生分解性粘着剤
天然ゴム系粘着剤（株式会社レヂテックス社製のＤＰＬ−５１改  解重合天然ゴムラテックス  全固形分５２質量％前後、水４７質量％前後、アンモニア０．３質量％弱。）１００質量部に対して、消泡剤（株式会社ミノグループ製の９０１４消泡剤）１質量部を配合して、生分解性粘着剤を得た。
【００９６】
（３）生分解性の評価
生分解性粘着転写シートのセパレータを剥がし、粘着剤層および白インキ層からなる積層体（以下、「転写材」と言う。）を、アルミ塗装板と、ピートモスからなる園芸用の生分解性育苗ポットとに手指で圧着して貼り付け、これらを腐葉土の中に埋設し、５０℃で保温した。各転写材の状態を、腐葉土中での保温開始から１か月後、３か月後、６か月後、および１０か月後に観察し、転写材の生分解性の程度を確認した。観察結果の概要を表１に示す。なお、転写後のアルミ塗装板を観察した際に撮影した写真を図１２に示す。転写後の育苗ポットを観察した際に撮影した写真を図１３に示す。
【００９７】
【表１】
0006722336.tif 000002
【００９８】
図１２に示すように、転写後のアルミ塗装板においては、３か月後には、転写材が、土のような状態になり始めており、１０か月後には、転写材のほぼ全体が、土のような状態になった。
【００９９】
図１３に示すように、転写後の育苗ポットにおいては、３か月後には、転写材が、土のような状態に近づいており、６か月後には、転写材のほぼ全体が、土のような状態になった。
【０１００】
このように、転写材の分解が腐葉土中で進んだため、転写材が生分解性を有することを確認することができた。
【符号の説明】
【０１０１】
８…シート、８１…生分解性インキ層、８２…生分解性粘着剤層、８３…生分解性クリア層、８４…転写基材、８５…セパレータ、９１…被着体、８１１…第一インキ部、８１２…第二インキ部
【要約】
【課題】生分解性素材の抜き加工なしで作製可能であり、そのうえ、被着体に簡単に、生分解性の絵付けができるシートを提供することを目的とする。
【解決手段】シート８は、所定の形状を有する生分解性インキ層８１と、生分解性インキ層８１の形状に対応した形状、または少なくともその一部を有する生分解性粘着剤層８２と、を備える。シート８によれば、分解性インキ層８１は印刷で形成できるので、生分解性インキ層８１の形状を、抜き加工なしで形成可能である。しかも、生分解性インキ層８１が所定の形状を有することによって、抜き加工が不要となっている。そのうえ、シート８が生分解性粘着剤層８２を備えることによって、生分解性インキ層８１を被着体に圧力だけで貼り付けることができる。生分解性インキ層８１および生分解性粘着剤層８２が生分解性を有することによって、微生物の働きでこれらを分解することができる。
【選択図】  図２【図１】
0006722336.tif 000003
【図２】
0006722336.tif 000004
【図３】
0006722336.tif 000005
【図４】
0006722336.tif 000006
【図５】
0006722336.tif 000007
【図６】
0006722336.tif 000008
【図７】
0006722336.tif 000009
【図８】
0006722336.tif 000010
【図９】
0006722336.tif 000011
【図１０】
0006722336.tif 000012
【図１１】
0006722336.tif 000013
【図１２】
0006722336.tif 000014
【図１３】
0006722336.tif 000015